(57)【要約】【課題】  締付具における締付枠とスライド軸にベルトを介在させ、ベルトを引っ張るという作業のみで、締結できると共に、締付具の締付枠を反転させることにより、簡単・容易にベルトを緩めることができ、女性でも作業できる荷締ベルトを提供する。【解決手段】  ベルトの一端に、固定された固定連結金具を設けると共に、ベルトの他端に移動可能な移動連結金具を設けてなる荷締ベルトであって、固定連結金具及び移動連結金具に連結部を設けると共に、移動連結金具に回動する締付枠に水平方向にスライドするスライド軸を設けた締付具を設け、ベルトの他端部をスライド軸と締付枠間に介在させ、スライド軸を一方向に移動させ、その押圧力にて締め付けてなることを特徴とする。【選択図】  図１
2005083571.tif 000002
【特許請求の範囲】
【請求項１】
ベルトの一端に、固定された固定連結金具を設けると共に、ベルトの他端に移動可能な移動連結金具を設けてなる荷締ベルトであって、固定連結金具及び移動連結金具に連結部を設けると共に、移動連結金具に回動する締付枠に水平方向にスライドするスライド軸を設けた締付具を設け、ベルトの他端部をスライド軸と締付枠間に介在させ、スライド軸を一方向に移動させ、その押圧力にて締め付けてなることを特徴とする荷締ベルト。
【請求項２】
ベルトの他端部を、スライド軸と締付枠間に通し、輪片を形し、再度ベルトの他端部先端をスライド軸と締付枠間に通し、先端を輪片の一片に止部にて移動自在に形成してなることを特徴とする請求項１記載の荷締ベルト。
【請求項３】
輪片に引張具を設けてなることを特徴とする請求項１又は２記載の荷締ベルト。
【請求項４】
引張具を略水平方向に引っ張ることによりベルトを締め付けることを特徴とする請求項１、２又は３記載の荷締ベルト。
【請求項５】
ベルト上に移動するカバーを設け、締め付け後において止部を引っ張ることにより輪片を小さくすることができ、カバー内に納めることができることを特徴とする請求項２、３又は４記載の荷締ベルト。
【請求項６】
引張具及び／またはベルトの他端部の先端を持ち、締付具の締付枠を反転させることにより、スライド軸を他方向に移動させ、押圧力を解除することによりベルトを緩めることができることを特徴とする請求項３、４又は５記載の荷締ベルト。
【発明の詳細な説明】
【技術分野】
【０００１】  本発明は、主にパレットに積んだ荷物の荷崩れを防止するための荷締ベルトに関するものである。
【背景技術】
【０００２】  従来の技術として、被固定物と固定位置とにそれぞれフック部を引っ掛け、一方のフック部に回動可能に設けた反転レバーと他方のフック部とをベルトで連結すると共に、反転レバーの巻回し部にて両フック部間のベルト長さを適宜調節した上で反転レバーを反転させることでベルトを締結状態に維持し、これにより被固定物を固定位置に固定する荷締具。反転レバーは、当該反転レバーが吊下状態となったときにベルト表面に圧接することで、反転レバーがベルトに沿って滑り落ちることを防止するズリ落ち防止突起を備えてなるものがある。（特許文献１参照）【０００３】
【特許文献１】  特開２００２−３１１９４号公報（請求項１、図１、図２、図３）
【発明の開示】
【発明が解決しようとする課題】
【０００４】  しかしながら、上記のような形態のものは、反転レバーにてベルトを締結するものであり、構造が複雑となり、狭い場所では反転レバーを作動させることができない場合がある。（周囲の物に当たる）
また、運送中において、反転レバーの先端に物が当たり、反転レバーが作動し、ベルトが緩むことも考えられる。
さらに、反転レバー作動時において、荷物に当たって、傷付けることもあり、実用上問題がある。【０００５】  本発明は上記の問題点に鑑みなされたもので、締付具における締付枠とスライド軸にベルトを介在させ、ベルトを引っ張るという作業のみで、締結できると共に、締付具の締付枠を反転させることにより、簡単・容易にベルトを緩めることができ、女性でも作業できる荷締ベルトを提供するものである。
【課題を解決するための手段】
【０００６】  上記の課題を解決するための手段として、ベルトの一端に、固定された固定連結金具を設けると共に、ベルトの他端に移動可能な移動連結金具を設けてなる荷締ベルトであって、固定連結金具及び移動連結金具に連結部を設けると共に、移動連結金具に回動する締付枠に水平方向にスライドするスライド軸を設けた締付具を設け、ベルトの他端部をスライド軸と締付枠間に介在させ、スライド軸を一方向に移動させ、その押圧力にて締め付けてなること。また、ベルトの他端部を、スライド軸と締付枠間に通し、輪片を形し、再度ベルトの他端部先端をスライド軸と締付枠間に通し、先端を輪片の一片に止部にて移動自在に形成してなること。輪片に引張具を設けてなること。さらに、引張具を略水平方向に引っ張ることによりベルトを締め付けること。ベルト上に移動するカバーを設け、締め付け後において止部を引っ張ることにより輪片を小さくすることができ、カバー内に納めることができること。その上、引張具及び／またはベルトの他端部の先端を持ち、締付具の締付枠を反転させることにより、スライド軸を他方向に移動させ、押圧力を解除することによりベルトを緩めることができることを特徴とする。
【発明の効果】
【０００７】１）、締付具における締付枠とスライド軸にベルトを介在させ、ベルトを引っ張るという作業のみで、スライド軸を移動させ、押圧力にてベルトを締め付け固定できる。
２）、輪片（引張具）を水平方向（締め付け方向）に引くことにより、女性でも簡単・容易に締め付けることができる。
３）、輪片（引張具）を垂直方向（緩める方向）に引くことにより、女性でも簡単・容易に緩めることができる。
４）、止部を設けることにより、締め付け時や緩め時にベルトが抜けることなく作業ができると共に、止部を引っ張ることにより、引っ張り代を少なくすることができ、嵩張らない。
５）、ベルト上に移動するカバーを設けることにより、引っ張り代を覆うことができ、安全に作業できるものである。
【発明を実施するための最良の形態】
【実施例１】
【０００８】  荷締ベルト１は、ベルトＢの一端Ｂ１に固定された連結孔２ａを設けてなる固定連結具２と、ベルトＢの他端Ｂ２に移動可能な上記連結孔２ａに着脱自在に差し込む突部３ａを形成し、略ロ形の回動する締付枠３ｂ１に、水平方向にスライドするスライド軸３ｂ２を設けてなる締付具３とから構成されるもので、ベルトＢの他端部Ｂ２をスライド軸３ｂ２と締付枠３ｂ１の間Ａ１に通し、つづいて間Ａに通し、輪片３ｃを形成し、再度ベルトＢの他端部Ｂ２先端Ｓを間Ａに通し、先端Ｓを輪片３ｃの一片３ｃ１にベルト通し状に固着Ｋした止部３ｄにて移動自在に形成してなる。
なお、上記輪片３ｃに引張具（通称Ｄ環）３ｅを設けてなるものである。【０００９】  上記のように構成した荷締ベルト１の使用例について、下記に述べる。
パレット（図示せず）上に配積された荷物ＮＭの外周を締め付けるべく、まず、固定連結具２の連結孔２ａに、締付具３の突部３ａを挿入し、連結する。
つぎに、引張具３ｅを水平方向（この例の場合、左方向）に引っ張ることにより、輪片３ｃは大きくなり、同時にスライド軸３ｂ２が移動（この例の場合、左方向）し、締付枠３ｂ１との間Ａが狭くなり、ベルトＢとベルトＢの他端Ｂ２が押圧されながら接触し、最終的にスライド軸３ｂ２にて締付挟持され固定する。
この時、ベルトＢの先端Ｓは止部３ｄにて係止している。
上記の状態で、ベルトＢは締め付けられ、荷物ＮＭは移動しないように固定されている。【００１０】  つぎに、ベルトＢを緩める方法について説明する。
引張具３ｅを持ち、垂直方向に引っ張ることにより、締付具３の締付枠３ｂ１を反転させ、スライド軸３ｂ２が上方向に移動すると同時にベルトＢが緩み、固定連結具２と締付具３とを分離させ、荷物ＮＭを取り出すことができるものである。
【実施例２】
【００１１】  別の実施例として、荷締ベルト２１は、上記実施例１と同様に荷物ＮＭを締め付けた後、ベルトＢの先端Ｓ（止部３ｄ）を摘んで引っ張る（この場合、左方向）ことにより、輪片３ｃが小さくなり、ベルトＢ上に設けたカバー４をスライドさせ、引っ張り代Ｈを覆うことができ、荷物ＮＭを傷付けることなく、運送できると共に、安全に作業できるものである。
【図面の簡単な説明】
【００１２】
【図１】  本発明の第１実施例を示す荷締ベルトの側面図。
【図２】  本発明の第１実施例を示す荷締ベルトの正面図。
【図３】  本発明の第１実施例を示す荷締ベルトの締め付け時の平面図。
【図４】  本発明の第１実施例を示す荷締ベルトの開放時の平面図。
【図５】  本発明の第２実施例を示す荷締ベルトの締め付け時の平面図。
【図６】  本発明の第２実施例を示す荷締ベルトのカバー時の平面図。
【符号の説明】
【００１３】１−−−荷締ベルト
２−−−固定連結具
３−−−締付具
４−−−カバー
Ｂ−−−ベルト
【図１】
2005083571.tif 000003
【図２】
2005083571.tif 000004
【図３】
2005083571.tif 000005
【図４】
2005083571.tif 000006
【図５】
2005083571.tif 000007
【図６】
2005083571.tif 000008